【手続補正書】
【提出日】平成15年11月21日(2003.11.21)
【手続補正１】
【補正対象書類名】明細書
【補正対象項目名】特許請求の範囲
【補正方法】変更
【補正の内容】
【特許請求の範囲】
【請求項１】
ショートセルを格納したセルをスイッチングするＡＴＭ交換機において、
複数のショートセルを格納したセルから、各ショートセルを１個ずつ格納したセルを生成する分離手段と、
各ショートセルを１個ずつ格納した前記セルから、複数のショートセルを格納した新たなセルを生成する多重手段と
を備えたことを特徴とするＡＴＭ交換機。
【請求項２】
前記分離手段は、各ショートセルを１個ずつ格納した前記セルに、前記多重手段へ向かう値を持つ識別子を設定してＡＴＭスイッチを介して前記多重手段へ送出する構成を有することを特徴とする請求項１に記載のＡＴＭ交換機。
【請求項３】
前記ショートセルは、ショートセルコネクションを識別するショートセルコネクション識別子を有していることを特徴とする請求項２に記載のＡＴＭ交換機。
【請求項４】
前記多重手段は、前記識別子または前記ショートセルコネクション識別子に従って複数のショートセルを多重して格納する新たなセルを生成することを特徴とする請求項３に記載のＡＴＭ交換機。
【請求項５】
前記分離手段は、前記識別子を前記ショートセルコネクション識別子を参照して設定することを特徴とする請求項３に記載のＡＴＭ交換機。
【請求項６】
自身に入力されたセルをその識別子に対応する出方路から送出するＡＴＭスイッチと、前記ＡＴＭスイッチに接続されたインターフェイス部，分離装置及び多重装置とを備え、
前記インターフェイス部は、複数個のショートセルを格納したセルが入力された場合に、このセルの識別子を前記分離装置へ向けて送出される値に設定して前記ＡＴＭスイッチへ向けて送出し、
前記分離装置は、前記インターフェイス部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出し、
前記多重装置は、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を所定の出方路から送出される値に設定して前記ＡＴＭスイッチへ向けて送出する
ことを特徴とするショートセル対応ＡＴＭ交換機。
【請求項７】
自身に入力されたセルをその識別子に対応する出方路から送出するＡＴＭスイッチと、前記ＡＴＭスイッチに接続されたインターフェイス部及び多重分離装置とを備え、
前記インターフェイス部は、複数個のショートセルを格納したセルが入力された場合に、このセルの識別子を前記多重分離装置へ向けて送出される値に設定して前記ＡＴＭスイッチへ向けて送出し、
前記多重分離装置は、振分部と、この振分部に接続された分離部及び多重部とを有し、
前記振分部は、前記ＡＴＭスイッチから送出されたセルが入力された場合に、このセルをその識別子に従って前記分離部と前記多重部との何れか一方に向けて送出し、
前記分離部は、前記振分部から送出されたセルを受け取り、このセルに格納された複数個のショートセルを１個ずつ格納した標準セルを複数個生成し、各標準セルの識別子を前記多重部へ向けて送出される値に設定して前記ＡＴＭスイッチへ向けて送出し、
前記多重部は、前記分離部から送出された複数個の標準セルを、前記ＡＴＭスイッチを介して受け取り、これらの標準セルに格納されたショートセルの識別子に従って複数個のショートセルを格納したセルを生成し、生成したセルの識別子をＡＴＭスイッチの所定の出方路から送出される値に設定して前記ＡＴＭスイッチへ向けて送出する
ことを特徴とするショートセル対応ＡＴＭ交換機。
【請求項８】
前記インターフェイス部は、複数個のショートセルを格納したセル以外のセルが入力された場合に、このセルの識別子を所定の出方路から送出される値に設定して前記ＡＴＭスイッチへ向けて送出することを特徴とする請求項６又は７記載のショートセル対応ＡＴＭ交換機。
【請求項９】
前記振分部は、ＡＴＭスイッチから入力されたセルの仮想パス識別子に従って、当該セルを前記分離部と前記多重部との何れか一方に向けて送出することを特徴とする請求項７記載のショートセル対応ＡＴＭ交換機。
【請求項１０】
前記インターフェイス部，前記多重装置及び前記分離装置が、前記ＡＴＭスイッチに複数個接続されていることを特徴とする請求項６記載のショートセル対応ＡＴＭ交換機。
【請求項１１】
前記インターフェイス部及び前記多重分離装置が、前記ＡＴＭスイッチに複数個接続されていることを特徴とする請求項７記載のショートセル対応ＡＴＭ交換機。
【請求項１２】
自身に入力されたセルをその識別子に対応する出方路から送出するＡＴＭスイッチと、前記ＡＴＭスイッチに接続されたセル送出部，分離装置及びセル受信部とを備え、
前記セル送出部は、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知し、
前記分離装置は、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出し、
前記セル受信部は、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否か
を判定する
ことを特徴とするショートセル対応ＡＴＭ交換機。
【請求項１３】
自身に入力されたセルの識別子に対応する出方路から当該セルを送出するＡＴＭスイッチと、前記ＡＴＭスイッチに接続されたセル送出部，多重装置及びセル受信部とを備え、
前記セル送出部は、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知し、
前記多重装置は、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出し、
前記セル受信部は、前記多重装置から送出されたセルを、前記ＡＴＭスイッチを介して受け取り、このセルに格納されたショートセルの内容と前記セル送出部から通知されたショートセルの内容とに基づいて、前記多重装置の動作が正常か否かを判定する
ことを特徴とするショートセル対応ＡＴＭ交換機。
【請求項１４】
自身に入力されたセルをその識別子に対応する出方路から送出するＡＴＭスイッチと、前記ＡＴＭスイッチに接続されたセル送出部，分離装置，多重装置及びセル受信部とを備え、
前記セル送出部は、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知し、
前記分離装置は、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出し、
前記多重装置は、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出し、
前記セル受信部は、前記多重装置から送出されたセルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する
ことを特徴とするショートセル対応ＡＴＭ交換機。
【請求項１５】
自身に入力されたセルの識別子に対応する出方路から当該セルを送出するＡＴＭスイッチと、前記ＡＴＭスイッチに接続されたセル送出部，分離装置，多重装置及びセル受信部とを備え、
前記セル送出部は、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知し、
前記多重装置は、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出し、
前記分離装置は、前記多重装置から送出されたセルを、前記ＡＴＭスイッチを介して受け取り、このセルに格納された複数個のショートセルを１個ずつ格納した標準セルを複数
個生成し、各標準セルの識別子を前記セル受信部へ向けて送出される値に設定して前記ＡＴＭスイッチへ向けて送出し、 前記セル受信部は、前記分離装置から送出された複数個
の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する
ことを特徴とするショートセル対応ＡＴＭ交換機。
【請求項１６】
ＡＴＭスイッチと、このＡＴＭスイッチに接続されたインターフェイス部，分離装置及び多重装置とを備えたショートセル対応ＡＴＭ交換機のルーティング方法であって、
前記インターフェイス部が、複数個のショートセルを格納したセルが入力された場合に、このセルの識別子を前記分離装置へ向けて送出される値に設定して前記ＡＴＭスイッチへ向けて送出する第１のステップと、
前記ＡＴＭスイッチが、前記インターフェイス部から送出されたセルをその識別子に従って前記分離装置へ向けて送出する第２のステップと、
前記分離装置が、前記ＡＴＭスイッチから送出されたセルに格納された複数個のショートセルを１個ずつ格納した標準セルを複数個生成し、各標準セルの識別子を前記多重装置へ向けて送出される値に設定して前記ＡＴＭスイッチへ向けて送出する第３のステップと、
前記ＡＴＭスイッチが、前記分離装置から送出された各標準セルをその識別子に従って前記多重装置へ向けて送出する第４のステップと、
前記多重装置が、前記ＡＴＭスイッチから送出された複数個の標準セルに格納されたショートセルの識別子に従って、複数個のショートセルを格納したセルを生成し、生成したセルの識別子を所定の出方路から送出される値に設定して前記ＡＴＭスイッチへ向けて送出する第５のステップと、
前記ＡＴＭスイッチが、前記多重装置から入力されたセルをその識別子に従って所定の出方路から送出する第６のステップと
を含むことを特徴とするショートセル対応ＡＴＭ交換機のルーティング方法。
【請求項１７】
ＡＴＭスイッチと、このＡＴＭスイッチに接続されたインターフェイス部及び多重分離装置とを備え、前記多重分離装置が、振分部と、この振分部に接続された分離部及び多重部とを有するショートセル対応ＡＴＭ交換機のルーティング方法であって、
前記インターフェイス部が、複数個のショートセルを格納したセルが入力された場合に、このセルの識別子を前記多重分離装置へ向けて送出される値に設定して前記ＡＴＭスイッチへ向けて送出する第１のステップと、
前記ＡＴＭスイッチが、前記インターフェイス部から送出されたセルをその識別子に従って前記多重分離装置へ向けて送出する第２のステップと、 前記振分部が、前記ＡＴＭ
スイッチから送出されたセルをその識別子に従って前記分離部へ向けて送出する第３のステップと、
前記分離部が、前記振分部から送出されたセルに格納された複数個のショートセルを１個ずつ格納した標準セルを複数個生成し、各標準セルの識別子を前記多重部へ向けて送出される値に設定して前記ＡＴＭスイッチへ向けて送出する第４のステップと、
前記ＡＴＭスイッチが、前記分離部から送出された各標準セルをその識別子に従って前記振分部へ向けて送出する第５のステップと、
前記振分部が、前記ＡＴＭスイッチから送出された各標準セルをその識別子に従って前記多重部へ向けて送出する第６のステップと、
前記多重部が、前記振分部から送出された複数個の標準セルに格納されたショートセルの識別子に従って複数個のショートセルを格納したセルを生成し、生成したセルの識別子を前記ＡＴＭスイッチの所定の出方路から送出される値に設定して前記ＡＴＭスイッチへ向けて送出する第７のステップと、
前記ＡＴＭスイッチが、前記多重部から送出されたセルをその識別子に従って所定の出方
路から送出する第８のステップと
を含むことを特徴とするショートセル対応ＡＴＭ交換機のルーティング方法。
【請求項１８】
前記インターフェイス部が、複数個のショートセルを格納したセル以外のセルが入力された場合に、このセルの識別子を所定の出方路から送出される値に設定して前記ＡＴＭスイッチへ向けて送出するステップをさらに含むことを特徴とする請求項１６又は１７記載のショートセル対応ＡＴＭ交換機のルーティング方法。
【請求項１９】
前記第３のステップ及び前記第７のステップにおいて、前記振分部が、ＡＴＭスイッチから入力されたセルの仮想パス識別子に従って、当該セルを前記分離部と前記多重部との何れか一方に向けて送出することを特徴とする請求項１７記載のショートセル対応ＡＴＭ交換機のルーティング方法。
【請求項２０】
ＡＴＭスイッチと、このＡＴＭスイッチに接続されたセル送出部，分離装置及びセル受信部とを備えたショートセル対応ＡＴＭ交換機の試験方法であって、
前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、
前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第２のステップと、
前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否かを判定する第３のステップと
を含むことを特徴とするショートセル対応ＡＴＭ交換機の試験方法。
【請求項２１】
ＡＴＭスイッチと、このＡＴＭスイッチに接続されたセル送出部，多重装置及びセル受信部とを備えたショートセル対応ＡＴＭ交換機の試験方法であって、
前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、
前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第２のステップと、
前記セル受信部が、前記多重装置から送出されたセルを、前記ＡＴＭスイッチを介して受け取り、このセルに格納されたショートセルの内容と前記セル送出部から通知されたショートセルの内容とに基づいて、前記多重装置の動作が正常か否かを判定する第３のステップと
を含むことを特徴とするショートセル対応ＡＴＭ交換機の試験方法。
【請求項２２】
ＡＴＭスイッチと、前記ＡＴＭスイッチに接続されたセル送出部，分離装置，多重装置及びセル受信部とを備えたショートセル対応ＡＴＭ交換機の試験方法であって、
前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、
前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記Ａ
ＴＭスイッチへ向けて送出する第２のステップと、
前記多重装置が、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第３のステップと、
前記セル受信部が、前記多重装置から送出されたセルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する第４のステップと
を含むことを特徴とするショートセル対応ＡＴＭ交換機の試験方法。
【請求項２３】
ＡＴＭスイッチと、前記ＡＴＭスイッチに接続されたセル送出部，分離装置，多重装置及びセル受信部とを備えたショートセル対応ＡＴＭ交換機の試験方法であって、
前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、
前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出する第２のステップと、
前記分離装置が、前記多重装置から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第３のステップと、
前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する第４のステップと
を含むことを特徴とするショートセル対応ＡＴＭ交換機の試験方法。
【手続補正２】
【補正対象書類名】明細書
【補正対象項目名】００１４
【補正方法】変更
【補正の内容】
【００１４】
【課題を解決するための手段】
本発明は、上述した課題を解決するために以下の構成を採用する。すなわち、本発明の第１の発明は、ショートセルを格納したセルをスイッチングするＡＴＭ交換機において、複数のショートセルを格納したセルから、各ショートセルを１個ずつ格納したセルを生成する分離手段と、各ショートセルを１個ずつ格納した前記セルから、複数のショートセルを格納した新たなセルを生成する多重手段とを備えたことを特徴とするＡＴＭ交換機である。
前記分離手段は、各ショートセルを１個ずつ格納した前記セルに、前記多重手段へ向かう値を持つ識別子を設定してＡＴＭスイッチを介して前記多重手段へ送出する構成を有することが好ましい。
前記ショートセルは、ショートセルコネクションを識別するショートセルコネクション識別子を有していることが好ましい。
前記多重手段は、前記識別子または前記ショートセルコネクション識別子に従って複数のショートセルを多重して格納する新たなセルを生成することが好ましい。
前記分離手段は、前記識別子を前記ショートセルコネクション識別子を参照して設定することが好ましい。
本発明の第２の発明は、自身に入力されたセルをその識別子に対応する出方路から送出するＡＴＭスイッチと、前記ＡＴＭスイッチに接続されたインターフェイス部，分離装置及び多重装置とを備えたショートセル対応ＡＴＭ交換機である。このＡＴＭ交換機において、前記インターフェイス部は、複数個のショートセルを格納したセルが入力された場合に、このセルの識別子を前記分離装置へ向けて送出される値に設定して前記ＡＴＭスイッチへ向けて送出する。また、前記分離装置は、前記インターフェイス部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出する。また、前記多重装置は、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を所定の出方路から送出される値に設定して前記ＡＴＭスイッチへ向けて送出する。


【手続補正３】
【補正対象書類名】明細書
【補正対象項目名】００１５
【補正方法】変更
【補正の内容】
【００１５】
第２の発明によれば、通常のＡＴＭセルの交換処理を行うＡＴＭスイッチを用いてショートセル毎の交換処理を行うことが可能となる。複数個のショートセルを格納したセルは、例えば、ＡＡＬ Ｔｙｐｅ２形式のセルである。また、インターフェイス部，分離装置，多重装置は、ＩＣやＬＳＩの電子回路や、ＣＰＵとメモリとを中心としたプロセッサ装置で構成可能である。


【手続補正４】
【補正対象書類名】明細書
【補正対象項目名】００１６
【補正方法】変更
【補正の内容】
【００１６】
第３の発明は、自身に入力されたセルをその識別子に対応する出方路から送出するＡＴＭスイッチと、前記ＡＴＭスイッチに接続されたインターフェイス部及び多重分離装置とを備えたショートセル対応ＡＴＭ交換機である。このＡＴＭ交換機において、前記インターフェイス部は、複数個のショートセルを格納したセルが入力された場合に、このセルの識別子を前記多重分離装置へ向けて送出される値に設定して前記ＡＴＭスイッチへ向けて送出する。また、前記多重分離装置は、振分部と、この振分部に接続された分離部及び多重部とを有する。ここに、前記振分部は、前記ＡＴＭスイッチから送出されたセルが入力された場合に、このセルをその識別子に従って前記分離部と前記多重部との何れか一方に向けて送出する。また、前記分離部は、前記振分部から送出されたセルを受け取り、このセルに格納された複数個のショートセルを１個ずつ格納した標準セルを複数個生成し、各標準セルの識別子を前記多重部へ向けて送出される値に設定して前記ＡＴＭスイッチへ向けて送出する。また、前記多重部は、前記分離部から送出された複数個の標準セルを、前記ＡＴＭスイッチを介して受け取り、これらの標準セルに格納されたショートセルの識別子に従って複数個のショートセルを格納したセルを生成し、生成したセルの識別子をＡＴＭスイッチの所定の出方路から送出される値に設定して前記ＡＴＭスイッチへ向けて送出する。


【手続補正５】
【補正対象書類名】明細書
【補正対象項目名】００１７
【補正方法】変更
【補正の内容】
【００１７】
第３の発明によれば、第２の発明に比べてＡＴＭスイッチに接続される構成要素が減るので、ＡＴＭスイッチの使用可能なポート数に限りがある場合に有効である。


【手続補正６】
【補正対象書類名】明細書
【補正対象項目名】００１８
【補正方法】変更
【補正の内容】
【００１８】
第４の発明は、第２又は第３の発明のインターフェイス部が、複数個のショートセルを格納したセル以外のセルが入力された場合に、このセルの識別子をＡＴＭの所定の出方路から送出される値に設定して前記ＡＴＭスイッチへ向けて送出することで特定したものである。


【手続補正７】
【補正対象書類名】明細書
【補正対象項目名】００１９
【補正方法】変更
【補正の内容】
【００１９】
第４の発明によれば、ＡＴＭ交換機が、複数個のショートセルを格納したセル以外のセル，例えば、ＡＡＬ Ｔｙｐｅ１やＡＡＬ Ｔｙｐｅ５のセルをルーティングすることができる。


【手続補正８】
【補正対象書類名】明細書
【補正対象項目名】００２０
【補正方法】変更
【補正の内容】
【００２０】
第５の発明は、第３の発明の振分部が、ＡＴＭスイッチから入力されたセルの仮想パス識別子に従って、当該セルを前記分離部と前記多重部との何れか一方に向けて送出することで特定したものである。


【手続補正９】
【補正対象書類名】明細書
【補正対象項目名】００２１
【補正方法】変更
【補正の内容】
【００２１】
第６の発明は、第２の発明のインターフェイス部，前記多重装置及び前記分離装置が、前記ＡＴＭスイッチに複数個接続されていることで特定したものである。


【手続補正１０】
【補正対象書類名】明細書
【補正対象項目名】００２２
【補正方法】変更
【補正の内容】
【００２２】
第７の発明は、第３の発明のインターフェイス部及び前記多重分離装置が、前記ＡＴＭスイッチに複数個接続されていることで特定したものである。第６、７の発明によれば、複数個のショートセルを格納したセル(ＡＡＬ２セル)のコネクション数が多い場合に、その処理を分散することで、処理効率(処理容量)を上げることが可能である。


【手続補正１１】
【補正対象書類名】明細書
【補正対象項目名】００２３
【補正方法】変更
【補正の内容】
【００２３】
第８の発明は、自身に入力されたセルをその識別子に対応する出方路から送出するＡＴＭスイッチと、前記ＡＴＭスイッチに接続されたセル送出部，分離装置及びセル受信部とを備えたショートセル対応ＡＴＭ交換機である。このＡＴＭ交換機において、前記セル送出部は、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する。また、前記分離装置は、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する。また、前記セル受信部は、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否かを判定する。


【手続補正１２】
【補正対象書類名】明細書
【補正対象項目名】００２４
【補正方法】変更
【補正の内容】
【００２４】
第９の発明は、自身に入力されたセルの識別子に対応する出方路から当該セルを送出するＡＴＭスイッチと、前記ＡＴＭスイッチに接続されたセル送出部，多重装置及びセル受信部とを備えたショートセル対応ＡＴＭ交換機である。このＡＴＭ交換機において、前記セル送出部は、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する。また、前記多重装置は、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する。また、前記セル受信部は、前記多重装置から送出されたセルを、前記ＡＴＭスイッチを介して受け取り、このセルに格納されたショートセルの内容と前記セル送出部から通知されたショートセルの内容とに基づいて、前記多重装置の動作が正常か否かを判定する。


【手続補正１３】
【補正対象書類名】明細書
【補正対象項目名】００２５
【補正方法】変更
【補正の内容】
【００２５】
第１０の発明は、自身に入力されたセルをその識別子に対応する出方路から送出するＡＴＭスイッチと、前記ＡＴＭスイッチに接続されたセル送出部，分離装置，多重装置及びセル受信部とを備えたショートセル対応ＡＴＭ交換機である。このＡＴＭ交換機において、前記セル送出部は、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する。また、前記分離装置は、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出する。また、前記多重装置は、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する。また、前記セル受信部は、前記多重装置から送出されたセルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する。


【手続補正１４】
【補正対象書類名】明細書
【補正対象項目名】００２６
【補正方法】変更
【補正の内容】
【００２６】
第１１の発明は、自身に入力されたセルの識別子に対応する出方路から当該セルを送出するＡＴＭスイッチと、前記ＡＴＭスイッチに接続されたセル送出部，分離装置，多重装置及びセル受信部とを備えたショートセル対応ＡＴＭ交換機である。このＡＴＭ交換機において、前記セル送出部は、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する。また、前記多重装置は、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出する。また、前記分離装置は、前記多重装置から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する。また、前記セル受信部は、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する。


【手続補正１５】
【補正対象書類名】明細書
【補正対象項目名】００２７
【補正方法】変更
【補正の内容】
【００２７】
第８〜１１の発明のセル受信部は、例えば、セル送出部から通知されたショートセルの内容から自身が受信するショートセルの内容を予想し、この予想結果と実際に受信したショートセルの内容とが一致するか否かをもって動作の正常／異常を判定する。


【手続補正１６】
【補正対象書類名】明細書
【補正対象項目名】００２８
【補正方法】変更
【補正の内容】
【００２８】
第１２の発明は、ＡＴＭスイッチと、このＡＴＭスイッチに接続されたインターフェイス部，分離装置及び多重装置とを備えたショートセル対応ＡＴＭ交換機のルーティング方法であって、前記インターフェイス部が、複数個のショートセルを格納したセルが入力された場合に、このセルの識別子を前記分離装置へ向けて送出される値に設定して前記ＡＴＭスイッチへ向けて送出する第１のステップと、前記ＡＴＭスイッチが、前記インターフェイス部から送出されたセルをその識別子に従って前記分離装置へ向けて送出する第２のステップと、前記分離装置が、前記ＡＴＭスイッチから送出されたセルに格納された複数個のショートセルを１個ずつ格納した標準セルを複数個生成し、各標準セルの識別子を前記多重装置へ向けて送出される値に設定して前記ＡＴＭスイッチへ向けて送出する第３のステップと、前記ＡＴＭスイッチが、前記分離装置から送出された各標準セルをその識別子に従って前記多重装置へ向けて送出する第４のステップと、前記多重装置が、前記ＡＴＭスイッチから送出された複数個の標準セルに格納されたショートセルの識別子に従って、複数個のショートセルを格納したセルを生成し、生成したセルの識別子を所定の出方路から送出される値に設定して前記ＡＴＭスイッチへ向けて送出する第５のステップと、前記ＡＴＭスイッチが、前記多重装置から入力されたセルをその識別子に従って所定の出方路から送出する第６のステップとを含むことを特徴とする。


【手続補正１７】
【補正対象書類名】明細書
【補正対象項目名】００２９
【補正方法】変更
【補正の内容】
【００２９】
第１３の発明は、ＡＴＭスイッチと、このＡＴＭスイッチに接続されたインターフェイス部及び多重分離装置とを備え、前記多重分離装置が、振分部と、この振分部に接続された分離部及び多重部とを有するショートセル対応ＡＴＭ交換機のルーティング方法であって、前記インターフェイス部が、複数個のショートセルを格納したセルが入力された場合に、このセルの識別子を前記多重分離装置へ向けて送出される値に設定して前記ＡＴＭスイッチへ向けて送出する第１のステップと、前記ＡＴＭスイッチが、前記インターフェイス部から送出されたセルをその識別子に従って前記多重分離装置へ向けて送出する第２のステップと、前記振分部が、前記ＡＴＭスイッチから送出されたセルをその識別子に従って前記分離部へ向けて送出する第３のステップと、前記分離部が、前記振分部から送出されたセルに格納された複数個のショートセルを１個ずつ格納した標準セルを複数個生成し、各標準セルの識別子を前記多重部へ向けて送出される値に設定して前記ＡＴＭスイッチへ向けて送出する第４のステップと、前記ＡＴＭスイッチが、前記分離部から送出された
各標準セルをその識別子に従って前記振分部へ向けて送出する第５のステップと、前記振分部が、前記ＡＴＭスイッチから送出されたセルをその識別子に従って前記多重部へ向けて送出する第６のステップと、前記多重部が、前記ＡＴＭスイッチから送出された複数個の標準セルに格納されたショートセルの識別子に従って複数個のショートセルを格納したセルを生成し、生成したセルの識別子を前記ＡＴＭスイッチの所定の出方路から送出される値に設定して前記ＡＴＭスイッチへ向けて送出する第７のステップと、前記ＡＴＭスイッチが、前記多重部から送出されたセルをその識別子に従って所定の出方路から送出する第８のステップとを含むことを特徴とする。


【手続補正１８】
【補正対象書類名】明細書
【補正対象項目名】００３０
【補正方法】変更
【補正の内容】
【００３０】
第１４の発明は、第１２又は１３の発明のルーティング方法において、前記インターフェイス部が、複数個のショートセルを格納したセル以外のセルが入力された場合に、このセルの識別子を所定の出方路から送出される値に設定して前記ＡＴＭスイッチへ向けて送出するステップをさらに含むことを特徴とする。第１５の発明は、第１２の発明の第３のステップ及び前記第７のステップにおいて、前記振分部が、ＡＴＭスイッチから入力されたセルの仮想パス識別子に従って、当該セルを前記分離部と前記多重部との何れか一方に向けて送出することを特徴とする。


【手続補正１９】
【補正対象書類名】明細書
【補正対象項目名】００３１
【補正方法】変更
【補正の内容】
【００３１】
第１６の発明は、ＡＴＭスイッチと、このＡＴＭスイッチに接続されたセル送出部，分離装置及びセル受信部とを備えたショートセル対応ＡＴＭ交換機の試験方法であって、前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第２のステップと、前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置の動作が正常か否かを判定する第３のステップとを含むことを特徴とする。


【手続補正２０】
【補正対象書類名】明細書
【補正対象項目名】００３２
【補正方法】変更
【補正の内容】
【００３２】
第１７の発明は、ＡＴＭスイッチと、このＡＴＭスイッチに接続されたセル送出部，多重装置及びセル受信部とを備えたショートセル対応ＡＴＭ交換機の試験方法であって、前
記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第２のステップと、前記セル受信部が、前記多重装置から送出されたセルを、前記ＡＴＭスイッチを介して受け取り、このセルに格納されたショートセルの内容と前記セル送出部から通知されたショートセルの内容とに基づいて、前記多重装置の動作が正常か否かを判定する第３のステップとを含むことを特徴とする。


【手続補正２１】
【補正対象書類名】明細書
【補正対象項目名】００３３
【補正方法】変更
【補正の内容】
【００３３】
第１８の発明は、ＡＴＭスイッチと、前記ＡＴＭスイッチに接続されたセル送出部，分離装置，多重装置及びセル受信部とを備えたショートセル対応ＡＴＭ交換機の試験方法であって、前記セル送出部が、複数個のショートセルを格納したセルを生成し、このセルの識別子を前記分離装置へ向けて送出される値に設定して前記ＡＴＭスイッチへ向けて送出し、送出したショートセルの内容を前記セル受信部に通知する第１のステップと、前記分離装置が、前記セル送出部から送出されたセルを、前記ＡＴＭスイッチを介して受け取り、このセルに格納された複数個のショートセルを１個ずつ格納した標準セルを複数個生成し、各標準セルの識別子を前記多重装置へ向けて送出される値に設定して前記ＡＴＭスイッチへ向けて送出する第２のステップと、前記多重装置が、前記分離装置から送出された複数個の標準セルを、前記ＡＴＭスイッチを介して受け取り、これらの標準セルに格納されたショートセルの識別子に従って複数個のショートセルを格納したセルを生成し、生成したセルの識別子を前記セル受信部へ向けて送出される値に設定して前記ＡＴＭスイッチへ向けて送出する第３のステップと、前記セル受信部が、前記多重装置から送出されたセルを、前記ＡＴＭスイッチを介して受け取り、このセルに格納されたショートセルの内容と前記セル送出部から通知されたショートセルの内容とに基づいて、前記分離装置及び前記多重装置の動作が正常か否かを判定する第４のステップとを含むことを特徴とする。


【手続補正２２】
【補正対象書類名】明細書
【補正対象項目名】００３４
【補正方法】変更
【補正の内容】
【００３４】
第１９の発明は、ＡＴＭスイッチと、前記ＡＴＭスイッチに接続されたセル送出部，分離装置，多重装置及びセル受信部とを備えたショートセル対応ＡＴＭ交換機の試験方法であって、前記セル送出部が、ショートセルを１個ずつ格納した標準セルを複数個生成し、各標準セルの識別子を前記多重装置へ向けて送出される値に設定して前記ＡＴＭスイッチへ向けて送出し、送出したショートセルの内容を前記セル受信部に通知する第１のステップと、前記多重装置が、前記セル送出部から送出された複数個の標準セルを、前記ＡＴＭスイッチを介して受け取り、これらの標準セルに格納されたショートセルの識別子に従って複数個のショートセルを格納したセルを生成し、生成したセルの識別子を前記分離装置へ向けて送出される値に設定して前記ＡＴＭスイッチへ向けて送出する第２のステップと
、前記分離装置が、前記多重装置から送出されたセルを、前記ＡＴＭスイッチを介して受け取り、このセルに格納された複数個のショートセルを１個ずつ格納した標準セルを複数個生成し、各標準セルの識別子を前記セル受信部へ向けて送出される値に設定して前記ＡＴＭスイッチへ向けて送出する第３のステップと、前記セル受信部が、前記分離装置から送出された複数個の標準セルを、前記ＡＴＭスイッチを介して受け取り、これらの標準セルに格納されたショートセルの内容と前記セル送出部から通知されたショートセルの内容とに基づいて、前記分離装置及び前記多重装置の動作が正常か否かを判定する第４のステップとを含むことを特徴とする。